(57)【要約】  アルミニウム（ＡＬ）、またはニッケルまたは錫などのはんだ付け可能なめっきで被覆されたアルミニウム系合金から作られたシールドは、既存のシールド材を上回る熱改良を提供する。回路基板上の電子部品ためのシールドは、上面および上面の周囲から延びる１つまたは複数の側壁とを有するベース部を備え、側壁は、回路基板フェンスを係合するように構成され、上記シールドは、さらに、ベース部の上面に取り付けられたフィン配列を備え、フィン配列は、複数のスタック可能なフィンを有し、スタック可能なフィンの各々は、壁および壁の１つまたは複数の縁部から延びる１つまたは複数の係合タブを有し、係合タブは、複数のスタック可能なフィンとともに篏合する。【特許請求の範囲】
【請求項１】
回路基板上の電子部品ためのシールドであって、
上面および前記上面の周囲から延びる１つまたは複数の側壁とを有するベース部を備え、前記側壁は、前記回路基板フェンスを係合するように構成され、前記シールドは、さらに、
前記ベース部の前記上面に取り付けられたフィン配列を備え、前記フィン配列は、複数のスタック可能なフィンを有し、前記スタック可能なフィンの各々は、壁および前記壁の１つまたは複数の縁部から延びる１つまたは複数の係合タブを有し、前記係合タブは、前記複数のスタック可能なフィンとともに篏合する、シールド。
【請求項２】
前記スタック可能なフィンの各々はさらに、篏合することを促進するための非係合タブを含み、前記非係合タブは、前記係合タブと同方向に前記壁の１つまたは複数の縁部から延びる、請求項１に記載のシールド。
【請求項３】
前記非係合タブは、前記壁の頂縁部から延びる頂部端タブおよび頂部中央タブと、前記壁の底縁部から延びる底部端タブおよび底部中央タブとを備え、係合タブの各々は、端タブと中央タブとの間に位置決めされる、請求項２に記載のシールド。
【請求項４】
係合タブの各々は、
本体と、
前記本体から第１の方向に外側に延びる第１のアームと、前記本体とは反対の前記第１のアームの端部から外側に延びる第１の折り曲げ可能なフィンガと、
前記本体から前記第１の方向とは反対の第２の方向に外側に延びる第２のアームと、前記本体とは反対の前記第２のアームの端部から外側に延びる第２の折り曲げ可能なフィンガと、前記第１の折り曲げ可能なフィンガとは反対に延びる前記第２の折り曲げ可能なフィンガとを備え、前記スタック可能なフィンが、スタックされ、前記折り曲げ可能なフィンガが、曲げられた向きにあるときに、前記折り曲げ可能なフィンガは、前記スタック可能なフィンを互いに篏合する、請求項１に記載のシールド。
【請求項５】
前記係合タブの頂縁部は、前記係合タブの底縁部と形状において対応し、これにより、前記スタック可能なフィンがスタックされともに篏合されたときに、前記係合タブは、互いに入れ子になる、請求項１に記載のシールド。
【請求項６】
前記フィン配列は、前記端部フィンを前記複数のスタック可能なフィンに篏合するためのスタック可能端タブを有する端部フィンをさらに備える、請求項１に記載のシールド。
【請求項７】
前記端部フィンは、篏合を促進するための非係合タブを備え、前記非係合タブは、前記スタック可能端タブと同方向に前記壁の１つまたは複数の縁部から延びる、請求項６に記載のシールド。
【請求項８】
前記スタック可能端タブの底縁部は、篏合されたときに前記スタック可能端タブおよび係合タブをはまりこませるために、前記スタック可能なフィンの前記係合タブの頂縁部と形状において対応する、請求項７に記載のシールド。
【請求項９】
前記ベース部の前記側壁は、前記シールドを前記フェンスに固定するために、フェンスの外面を係合するための１つまたは複数の内向きに突出するディンプルを含む、請求項１に記載のシールド。
【請求項１０】
回路基板上の電子部品ためのシールドを製造するための方法であって、
第１のスタック可能なフィンを打ち抜きおよび折り曲げによって形成することを備え、前記第１のスタック可能なフィンは、壁および前記壁の１つまたは複数の縁部から延びる１つまたは複数の係合タブを備え、前記方法は、さらに、
第２のスタック可能なフィンを打ち抜きおよび折り曲げによって形成することとを備え、前記第２のスタック可能なフィンは、壁および前記壁の１つまたは複数の縁部から延びる１つまたは複数の係合タブを備え、前記方法は、さらに、
前記第１のおよび第２のスタック可能なフィンをスタックすることと、
フィン配列を形成するために、少なくとも前記第１のスタック可能なフィンの前記係合タブの部分を前記第１のおよび第２のスタック可能なフィンをともに篏合するために折り曲げることと、
シールドを形成するために、前記フィン配列をベース部に固定することとを備え、前記ベース部は、上面および前記上面の周囲から延びる１つまたは複数の側壁を有し、前記側壁は、前記回路基板のフェンスを係合するように構成される、方法。
【請求項１１】
前記スタック可能なフィンの各々は、篏合を促進するために非係合タブを備え、前記非係合タブは、前記係合タブと同方向に前記壁の１つまたは複数の縁部から延びる、請求項１０に記載の方法。
【請求項１２】
前記非係合タブは、前記壁の頂縁部から延びる頂部端タブおよび頂部中央タブと、前記壁の底縁部から延びる底部端タブおよび底部中央タブとを備え、係合タブ各々は、端タブと中央タブとの間に位置決めされる、請求項１１に記載の方法。
【請求項１３】
係合タブの各々は、
本体と、
前記本体から第１の方向に外側に延びる第１のアームと、前記本体とは反対の前記第１のアームの端部から外側に延びる第１の折り曲げ可能なフィンガと、
前記第１の方向とは反対の第２の方向に前記本体から外側に延びる第２のアームと、前記本体とは反対の前記第２のアームの端部から外側に延びる第２の折り曲げ可能なフィンガとを備え、前記第２の折り曲げ可能なフィンガは、前記第１の折り曲げ可能なフィンガから反対に延び、前記少なくとも前記係合タブの部分は、前記第１のおよび第２の折り曲げ可能なフィンガを含む、請求項１０に記載の方法。
【請求項１４】
前記係合タブの頂縁部は、前記係合タブの底縁部に形状において対応し、これにより前記スタック可能なフィンがスタックされともに篏合されたときに、前記係合タブは、互いにはまりこむ、請求項１０に記載の方法。
【請求項１５】
端部フィンを打ち抜きおよび折り曲げによって形成することをさらに備え、前記端部フィンは、スタック可能端タブを備え、
前記端部フィンを前記複数のスタック可能なフィンにスタックすることをさらに備え、少なくとも前記第２のスタック可能なフィンの前記係合タブの部分を折り曲げることは、前記フィン配列を形成するために前記端部フィンを前記複数のスタック可能なフィンに篏合させる、請求項１０に記載の方法。
【請求項１６】
前記端部フィンは、篏合を促進するために非係合タブをさらに備え、前記非係合タブは、前記スタック可能端タブと同方向に前記壁の１つまたは複数の縁部から延びる、請求項１０に記載の方法。
【請求項１７】
前記スタック可能端タブの底縁部は、スタックされ篏合されたときに前記スタック可能端タブおよび係合タブをはまりこませるために、前記スタック可能なフィンの前記係合タブの頂縁部と形状において対応する、請求項１０に記載の方法。
【請求項１８】
前記ベース部の前記側壁の各々は、前記シールドを前記フェンスに固定するために、フェンスの外面を係合するための１つまたは複数の内向きに突出するディンプルを含む、請求項１０に記載の方法。
【発明の詳細な説明】
【技術分野】
【０００１】
発明の背景
発明の分野
本発明は、回路基板上の回路のためのＥＭＩ／ＲＦシールドに関し、特にアルミニウムまたはアルミニウム系合金で構成され、はんだ付け可能な材料でめっきされ、フィンを備えるＥＭＩ／ＲＦシールドに関する。
【背景技術】
【０００２】
関連技術
従来のＥＭＩ／ＲＦシールド材料は、限定されないものの冷間圧延鋼またはＳＰＴＥ、ステンレス鋼、黄銅またはリン青銅材料でめっきされたニッケル銀、錫を含み、これらは、成形性およびＥＭＩ／ＲＦシールドのためには良好であるが、熱性能の観点からは、貧弱であり、またはシールド用途にはコストがかかる。
【０００３】
ワンピースのシールドは、高さが問題となり、高さの制限が原因で交換可能な蓋が使用されることができない薄いデバイスで一般的に使用されている。ワンピースシールドはまた、ツーピースシールドと比較してコスト削減のソリューションのために使用されている。ツーピースシールドのソリューションは、リワーク性のために一般的に使用され、一般的に高コストである。
【発明の概要】
【課題を解決するための手段】
【０００４】
概要
アルミニウム（ＡＬ）、またはニッケルまたは錫といったはんだ付け可能なめっきで被覆されたアルミニウム系合金から作られたシールドは、既存のシールド材を上回る熱改良を提供する。また、めっきされたアルミニウムは、一般的に使用されるシールド材と比較して有意な軽量化を提供しながら高い熱性能を提供する。アルミニウムの高い熱伝導率および回路に直接シールドをはんだ付けする能力のおかげで、シールドはまた、シールド頂面から側壁へと下向きに熱を伝達し、回路基板に熱を「放出する」（ｄｕｍｐ）だろう。熱伝達は、デバイスから離れるように熱を伝達するためにシールドの表面に取り付けられたフィンの使用により増強され、デバイスの寿命と信頼性を向上させる、低下した動作温度を提供する。
【０００５】
図面の簡単な説明
上記の特徴は、添付の図面（複数）を参照することにより、以下の詳細な説明から明らかになるであろう。
【図面の簡単な説明】
【０００６】
【図１】フェンスと蓋とからなるツーピースＥＭＩ／ＲＦシールドの側面図である。
【図２】基板上の回路の周りのフェンスに取り付けられた各々蓋を有する２つのツーピースＥＭＩ／ＲＦシールドを示す斜視図である。
【図３】回路基板に直接取り付けられることができるワンピースシールドを示す斜視図である。
【図４】シールドに取り付けられた放熱フィンを有する別のＥＭＩ／ＲＦシールドの側面図である。
【図５】図４に示すシールドの斜視図である。
【図６】その上に熱フィンを有するＥＭＩ／ＲＦシールドの斜視図である。
【図７】その上に熱フィンを有するＥＭＩ／ＲＦシールドの斜視図である。
【図８】ＥＭＩ／ＲＦシールドの頂部斜視図である。
【図９】ＥＭＩ／ＲＦシールドの底部斜視図である。
【図１０】ＥＭＩ／ＲＦシールドの右側面図である。
【図１１】ＥＭＩ／ＲＦシールドの背面図である。
【図１２】ＥＭＩ／ＲＦシールドの頂面図である。
【図１３】ＥＭＩ／ＲＦシールドのスタック可能なフィンの斜視図である。
【図１４】ＥＭＩ／ＲＦシールドの端部フィンの斜視図である。
【図１５】ＥＭＩ／ＲＦシールドのフィン配列の１つまたは複数のスタック可能なフィンのアセンブリを示す斜視図である。
【図１６】図１５のフィン配列のスタック可能なフィンの拡大図である。
【図１７】フィン配列への端部フィンのアセンブリを示す斜視図である。
【図１８】ＥＭＩ／ＲＦシールドのフィン配列の組立図である。
【発明を実施するための形態】
【０００７】
発明の詳細な説明
ＥＭＩ／ＲＦシールドは、アルミニウムの熱性能の利点を得るために、アルミニウムまたはアルミニウム系合金で製造される。はんだ付けを可能にするために、アルミニウム材は、ニッケルまたは錫のようなはんだ付け可能な材料でめっきされる。
【０００８】
図１は、一般的に１０で示されるアルミニウムまたはアルミニウム系合金製熱シールドの側面図である。シールド蓋１０は、回路基板に取り付けられ回路を囲むフェンス９に取り付けられる。回路基板の回路にシールド１０を取り付ける他の方法は、本開示の範囲内に記載されるものと考えられる。シールド１０は、上面２０を含んでおり、電磁干渉および無線周波数シールディングを提供するために回路上に位置決めされることができる蓋を形成する１つまたは複数の側壁３０を含んでもよい。たとえば、シールドは、四方の壁と頂部壁とを持ち、５面の蓋を形成することができる。他のシールド材と比較して、アルミニウムまたはアルミニウム系合金を使用することの利点は、高い熱性能と軽量化である。アルミニウムの熱伝導率のおかげで、シールドは、シールドの頂面から側壁へと下向きに熱を移送し、それが放散される回路基板に熱を放出することができる。
【０００９】
図２は、フェンス９に取り付けられたシールド蓋１０を有する回路基板８上の２つのフェンス９を示す斜視図である。本明細書で説明するシールドの全ては、フェンスに取り付けることによってまたは当技術分野で既知の他の方法で回路基板に取り付けられことができるワンピースシールドまたはツーピースシールドであってもよい。シールドは、はんだ付け等によるといった、当技術分野で既知の任意の方法でフェンシングに取り付けられることができる。取り付けは、スナップダウンかそうでなければ当技術分野で知られるようなものであることができる。シールド１０は、頂部壁２０および側壁３０を含む。シールド蓋１０は、アルミニウム、またはニッケルまたは錫のようなはんだ付け可能な材料でめっきされたアルミニウム系合金で形成される。フェンス９は、シールドのはんだ付けを可能にするために、アルミニウム、またはニッケル、錫などのはんだ付け可能な材料でめっきされたアルミニウム系合金から作られることができる。本明細書に開示されたシールドを含むアルミニウムは、従来のシールド材のシールド製造に関連して、当技術分野で知られているように製造されることができる。アルミニウム材は、蓋の形状に形成される前または後に、ニッケル、錫または別のはんだ付け可能な材料でめっきされることができる。
【００１０】
図３は、アルミニウムまたはアルミニウム系合金から作られることができる、回路基板に直接取り付けられことができるワンピースシールド１０Ａを示す斜視図である。シールド１０Ａは、頂部壁２０Ａと側壁３０Ａとを含む。シールド１０Ａは、回路基板に直接シールドのはんだ付けを可能にすることができる、アルミニウム、またはニッケルまたは錫などのはんだ付け可能な材料でめっきアルミニウム系合金から作られる。フェンス９は、シールドのはんだ付けを可能にするために、アルミニウム、またはニッケルまたは錫などのはんだ付け可能な材料でめっきされたアルミニウム系合金で作られる。本明細書に開示されるアルミニウムを含むシールドは、従来のシールド材のシールド製造に関連して、当技術分野で知られているものにしたがって製造することができる。アルミニウム材は、側壁を有する構成に形成される前または後に、ニッケル、錫、または別のはんだ付け可能な材料でめっきされることができる。シールドは、剥離性または非剥離性であることができる。それが剥離性のシールドであって、それがリワークされ蓋が除去される場合、フェンスが基板に取り付けられた状態で残されるので、既存のフェンスの上にスナップする交換用の蓋を要する。
【００１１】
図４は、フェンス９に取り付けられた一般的に１１０で示されるシールドを示す。シールドは、頂部壁１２０を有し、１つまたは複数の側壁１３０を有してもよい。シールドは、一般に１４０で示される、頂部壁に取り付けられた放熱フィンを含む。フィン１４０は、シールド１１０の頂部壁１２０にはんだ付けされることができる。フィン１４０は、たとえば、アルミニウム、またはニッケル、錫または他のはんだ付け可能な材料でめっきされたアルミニウム系合金といった、シールドと同じ材料で作られることができる。所望であれば、もちろんフィンは、従来の非アルミニウム材のような、シールドとは完全に異なる材料で作られることができる。フィンは、当技術分野で知られているもののように所望のように成形されることができる。フィンは、最終形状に成形される前または後に、はんだ付け可能な材料でめっきされることができる。図４に示すように、フィン１４０は、シールド１１０の頂部壁１２０との接触およびはんだ付け接続のための一連の谷１４２を有することができる。フィン１４０は、複数の直立壁１４４および直立壁間に接続された頂部１４６を有することができる。直立壁１４４は、増加した熱放散のための大きな表面積を提供するよう、さらなるフィン１４８のようなさらなる放熱機能を有することができる。
【００１２】
図５は、図４に示すフィンを有するシールドの斜視図である。図３に関して述べたように、シールド１１０は、頂部１２０を含み、側壁１３０を含んでもよい。シールド１１０は、回路基板上でフェンス９に取り付けられる。フィン１４０は、フィン１４０が頂部壁１２０にはんだ付けされることができる一連の谷１４２と、複数の直立壁１４４と、隣接する直立壁１４４と相互接続する複数の頂面１４６とを有する。さらに、直立壁１４４は、追加フィン１４８のようなさらなる放散部を含んでもよい。
【００１３】
図６は、フィンを有する別のアルミニウムまたはアルミニウム合金シールドの斜視図である。シールド２１０は、頂部壁２２０を含み、側壁２３０を含んでもよい。シールド２１０は、回路基板８上のフェンス９に取り付けられる。フィン２４０は、頂部壁２２０にはんだ付けされることができる一連の谷２４２と、複数の直立壁２４４と、隣接する直立壁２４４と相互接続する複数の頂面２４６とを含む。示されるように、直立壁２４４は、頂部壁２２０に対して直角に延びるように構成されることができる。
【００１４】
図７は、フィンを有する別のアルミニウムまたはアルミニウム合金シールドの斜視図である。シールド３１０は、頂部壁３２０を含み、側壁３３０を含んでもよい。シールド３１０は、回路基板上でフェンス９に取り付けられる。フィン３４０は、フィン３４０が頂部壁３２０にはんだ付けされることができる一連の谷３４２と、複数の直立壁３４４と、隣接する直立壁３４４を相互接続する複数の頂面３４６とを含む。示されるように、フィン３４０の直立壁３４４は、頂部壁３２０から直角以外の角度で頂部壁から延びるように構成されることができる。さらに、直立壁３４４は、追加フィン３４８のような、さらなる放熱部を含んでもよい。
【００１５】
本明細書に開示されるシールドは、非剥離性または非リワーク可能なワンピースシールド、リワーク可能／剥離可能であるワンピースシールド、両方ともめっきされたアルミニウムを用いて作られたフェンスおよび蓋を含むツーピースシールド、一部品（典型的には蓋）がアルミニウムでめっきされたフェンスおよび蓋を含むツーピースシールド（フェンスは、ニッケル銀、冷間圧延鋼またはめっきされたステンレス鋼を使用することができる）、蓋表面にはんだ付けされめっきされた、はんだ付けされあらかじめまたは後にめっきされたアルミニウムまたは銅の（材料選択に限定されない）フィンストックを有するツーピースシールドとされることができる。
【００１６】
携帯電話、タブレット、薄いラップトップのような低側面／低電力デバイスは、一般的に使用されるニッケル銀および冷間圧延シールドを上回る熱的利点を提供する、蓋にはんだ付けされたフィンストックを有さないワンピースシールドまたはツーピースシールドソリューションを使用してもよい。
【００１７】
典型的に比較的大きいケース構造（たとえば、サーバシャーシ、無線モデム、セットトップボックスまたはケーブルボックス）に見られるＲＦモジュール、プロセッサモジュールといった高出力用途で、典型的には対流冷却を強制する。これらのデバイスは、ベースがめっきされたアルミニウムフェンスおよび蓋とともに使用されたときに追加の熱的改善を提供する、めっきされたフィンストックを使用することができる。（形成され、折られ、打ち抜きなどされた）フィンストックは、ＥＭＩ／ＲＦシールド蓋の頂面にはんだ付けされることで、熱性能を向上させる。
【００１８】
図８〜１２は、フィン配列を有するシールドの図である。具体的には、図８は、シールド４１０の頂面斜視図であり、図９は、底面斜視図であり、図１０は、右側面図であり、図１１は背面図であり、図１２は、頂面図である。シールド４１０は、上面４２０およびフィン配列４３８を含む。上面４２０は、上面４２０の周囲から垂下する１つまたは複数の側壁４３０を含むことができる。側壁４３０は、連続することができ、または取り付けを容易にするための隙間を有することができる。さらに、側壁４３０は、フェンスの外面と係合可能な１つまたは複数の内側に突出するディンプル４３２を含むことができ、これにより、シールド４１０がフェンスに固定され、電磁干渉および高周波シールドを提供するために回路上に位置決めされる。シールド４１０の側壁４３０の内面は、フェンスの外面に嵌合するように寸法決めされることができ、それによってディンプル４３２がフェンスの外面に係合することを可能にする。代替的に、シールド４１０は、ディンプル４３２なしでフェンスに係合されることができる。フェンスへのシールド４１０の取り付けは、摩擦嵌合、溶接、または他の取り付けによって行われることができる。
【００１９】
フィン配列４３８は、シールド４１０の上面４２０に取り付けられことができる。フィン配列４３８は、１つまたは複数のスタック可能なフィン４４０を含み、端部フィン４７０を含んでもよい。フィン配列４３８は、熱シールド要件に応じて、任意の数のスタック可能なフィン４４０で作られることができる。スタック可能なフィン４４０および端部フィン４７０は、熱シールドの要件に応じて異なる距離だけ離間される。スタック可能なフィン４４０は各々、スタック可能なフィンを互いに連結する屈曲可能な部分を有するはめこみ可能な係合タブを含む。スタック可能なフィン４４０はまた、スタック可能なフィンの連結を促進および／またはスタック可能なフィン４４０間の構造的な支持を提供することができる非係合タブを含む。
【００２０】
図１３は、スタック可能なフィン４４０の斜視図である。スタック可能なフィン４４０は、頂側面４４６ａ（たとえば、第１の側面）と底側面４４６ｂ（たとえば、第２の側面）とを有する略平坦な面または壁４４６と、頂側面の第１および第２の端部における頂部端タブ４４２ａと、底側面の第１および第２の端部における底部端タブ４４２ｂと、頂部および底部中央タブ４４４ａおよび４４４ｂと、壁４４６の頂側面の頂部スタック可能係合タブ４４８ａおよび壁４４６の底側面の底部スタック可能係合タブ４４８ｂとを含む。したがって、頂側面４４６ａの部品は、底側面４４６ｂの部品を鏡映することができる。頂端部および底部端タブ４４２ａおよび４４２ｂは、矩形形状であってもよく、壁４４６から垂直または他の任意の角度で延びることができる。頂端部および底部端タブ４４２ａおよび４４２ｂと、頂部および底部中央タブ４４４ａおよび４４４ｂはすべて、同じ方向に延びる。頂部および底部中央タブ４４４ａおよび４４４ｂは、矩形形状であってもよく、壁４４６から垂直にまたは他の任意の角度で延びることができる。頂部および底部中央タブ４４４ａおよび４４４ｂは、頂端部および底部端タブ４４２ａおよび４４２ｂより長くされることができる。しかし、頂部および底部中央タブ４４４ａおよび４４４ｂは、壁４４６から頂端部および底部端タブ４４２ａおよび４４２ｂと同じ距離を延びることができる。
【００２１】
２つの頂部スタック可能係合タブ４４８ａの各々は、台形状であることができる本体４５０ａを含み、第１のおよび第２のアーム４５２ａおよび４５６ａは、壁４４６に対して鋭角θ1を形成するように外側に延びる。第１のアーム４５２ａは、第１のアーム４５２ａから外側に延びる屈曲可能なフィンガ４５４ａを含む。第２のアーム４５６ａは、第２のアーム４５６ａから外側に延びる屈曲可能なフィンガ４５８ａを含む。屈曲可能なフィンガ４５４ａおよび４５８ａは、互いに反対側に延びる。同様に、２つの底部スタック可能係合タブ４４８ｂは、台形状であることができる本体４５０ｂと、壁４４６に対して鋭角θ1を形成するように外側に延びる第１および第２のアーム４５２ｂおよび４５６ｂとを含む。頂部スタック可能係合タブ４４８ａについて上述したように、第１のアーム４５２ｂは、第１のアーム４５２ｂから外側に延びる屈曲可能なフィンガ４５４ｂを含む。第２のアーム４５６ｂは、第２のアーム４５６ｂから外側に延びる屈曲可能なフィンガ４５８ｂを含む。屈曲可能なフィンガ４５４ｂと４５８ｂは、互いに反対側に延びる。頂部スタック可能係合タブ４４８ａの各々は、頂部端タブ４４２ａと頂部中央タブ４４４ａとの間に位置される。同様に、底部スタック可能係合タブ４４８ｂの各々は、底部端タブ４４２ｂと底部中央タブ４４４ｂとの間に配置される。本体４５０ａと本体４５０ｂとは端部フィン４７０の台形端タブ４７２ａまたは４７２ｂを受け入れるように形作られる（図１４参照）。
【００２２】
図１４は、シールドの端部フィン４７０の斜視図である。端部フィン４７０は、頂側面４７６ａおよび底側面４７６ｂを有する壁４７６と、頂側面の第１および第２の端部における頂部端タブ４７２ａと、底側面の第１および第２の端部の底部端タブ４７２ｂと、頂部および底部中央タブ４７４ａおよび４７４ｂと、壁４７６の頂側面上の頂部スタック可能端タブ４７８ａと、壁４７６の底側面上の底部スタック可能端タブ４７８ｂとを有する。したがって、頂面の部品は、底面の部品を鏡映することができる。
【００２３】
頂端部および底部端タブ４７２ａおよび４７２ｂは、矩形形状であることができ、壁４７６から垂直にまたは任意の他の角度で延びることができる。頂端部および底部端タブ４７２ａおよび４７２ｂと頂部および底部中央タブ４７４ａおよび４７４ｂとは、矩形形状であることができ、壁４７６から垂直にまたは任意の他の角度で延びることができる。たとえば、頂部および底部中央タブ４７４ａおよび４７４ｂは、頂端および底部端タブ４７２ａおよび４７２ｂよりも、（たとえば壁の長さに沿って）長く延びることができる。しかし、頂部および底部中央タブ４７４ａおよび４７４ｂは、壁４７６から頂端部および底部端タブ４７２ａおよび４７２ｂと同じ距離を延びることができる。頂部および底部スタック可能端タブ４７８ａおよび４７８ｂは、台形状であることができ、台形の平行な辺の短い方が壁４７６取り付けられるように壁４７６から垂直に延びることができる。頂部および底部スタック可能端タブ４７８ａおよび４７８ｂの各々の、角度が付けられた側面は、壁４７６の表面に対して鋭角θ2を形成する。頂部スタック可能な端部４７８ａは各々、頂部端タブ４７２ａと頂部中央タブ４７４ａとの間に位置される。同様に、底部スタック可能端タブ４７８ｂは各々、底部端タブ４７２ｂと底部中央タブ４７４ｂとの間に位置される。
【００２４】
図１５は、フィン配列４３８の１つまたは複数のスタック可能なフィン４４０のアセンブリを示す斜視図である。フィン４４０は、金属のシートから（たとえば、アルミニウム）から打ち抜きされることができ、それによって壁４４６と壁４４６に対して平面であるタブ（４４２、４４４、および４４８）を形成し、そしてタブ（４４２、４４４、および４４８）は、壁４４６に対して垂直となるように曲げられることができる。フィン４４０は、シールドの上面（図示せず）に取り付けられ、曲げによって相互接続されることができる。平面方向において曲げ可能なフィンガ４５４'ａおよび４５８'ａを有する第１のスタック可能なフィン４４０ａは、平面方向において曲げ可能なフィンガ４５４'ｂおよび４５８'ｂを有する第２のスタック可能なフィン４４０にスタックされる。第１のスタック可能なフィン４４０ａの頂部スタック可能係合タブ４４８’ａの本体４５０’ａは、第１のアーム４５２’ｂおよび第２のスタック可能なフィン４４０ｂの頂部スタック可能係合タブ４４８’ｂの第２のアーム４５６’ｂ（および第１のおよび第２の折り曲げ可能なフィンガ４５４’ｂおよび４５８’ｂ）に挿入され通過する。第１のスタック可能なフィン４４０ａの頂部スタック可能係合タブ４４８’ａの本体４５０’の底縁部は、第２のスタック可能なフィン４４０ｂの頂部スタック可能係合タブ４４８’ｂの本体４５０’ｂの頂縁部に接触する（または近接する）。スタック可能係合タブ４４８の頂縁部の各々は、スタック可能係合タブ４４８の各々の底縁部に形状において対応し、これによりスタック可能係合タブ４４８は、スタック可能なフィン４４０がスタックされともに篏合されたときに互いに入れ子になる。
【００２５】
図１６は、図１５のフィン配列４３８のスタック可能なフィン４４０の拡大図である。第１のスタック可能なフィン４４０ａの頂部スタック可能係合タブ４４８’ａの縁部は、頂部スタック可能係合タブ４４８’の本体４５０’、第１のアーム４５２’ａ、および第２のアーム４５６’ａによって形成される領域内にはめこまれる。第１のスタック可能なフィン４４０ａがスタック第２のスタック可能なフィン４４０ｂへとスタックされたとき、第１のスタック可能なフィン４４０ａの折り曲げ可能なフィンガ４５４’ａおよび４５８’ａおよび第２のスタック可能なフィン４４０ｂの折り曲げ可能なフィンガ４５４’ｂおよび４５８’ｂは、全て平面方向にある。一度スタックされると、第２のスタック可能なフィン４４０ｂの折り曲げ可能なフィンガ４５４’ｂおよび４５８’ｂは、Ａと示された矢印で示されるように第１のスタック可能なフィン４４０の壁４４６ａを係合するために曲げられる。これにより、第１のスタック可能なフィン４４０ａの壁４４６ａが第２のスタック可能なフィン４４０ｂの折り曲げ可能なフィンガ４５４’ｂおよび４５８’ｂと、第２のスタック可能なフィン４４０ｂの端タブおよび中央タブ（たとえば、端タブ４４２ａ）との間に挟まれるので、第１のスタック可能なフィン４４０ａは、第２のスタック可能なフィン４４０ｂと篏合される。折り曲げ可能なフィンガ４５４’ｂおよび４５８’ｂが曲げられる角度は、変化されることができる。
【００２６】
図１７は、フィン配列４３８への端部フィン４７０のアセンブリを示す斜視図である。スタック可能なフィン４４０の各々は、壁４４６と、頂部端タブ４４２ａと、底部端タブ４４２ｂと、頂部および底部中央タブ４４４ａおよび４４４ｂと、頂部スタック可能係合タブ４４８ａと、底部スタック可能係合タブ４４８ｂとを含む。上述したように、端部フィン４７０は、壁４７６と、頂端部および底部端タブ４７２（たとえば、４７２ａおよび４７２ｂ）と、頂部および底部中央タブ４７４（たとえば、４７４ａおよび４７４ｂ）と、頂部および底部スタック可能端タブ４７８（たとえば、４７８ａおよび４７８ｂ）とを含む。タブ（４７２、４７４、および４７８）は、壁４７６の１つまたは複数の縁部から同方向に延びる。頂部および底部スタック可能端タブ４７８は、第１のスタック可能なフィン４４０ａの第１のおよび第２のアームの折り曲げ可能なフィンガ４５４’ａおよび４５８’ａと係合するために台形状である。第１のスタック可能なフィン４４０ａの折り曲げ可能なフィンガ４５４’ａおよび４５８’は、平面方向である。一度スタックされると、折り曲げ可能なフィンガ４５４’ａおよび４５８’ａは、端部フィン４７０をスタック可能なフィン４４０と篏合するために端部フィン４７０の壁４７６を係合するために曲げられた向きへと位置決めされる（たとえば、曲げられる）。スタック可能端タブ４７８は、端部フィン４７０および第１のスタック可能なフィン４４０ａの間の動き（たとえば、摺動動作）を防ぐことによって、端部フィン４７０を複数のスタック可能なフィン４４０と篏合する。スタック可能端タブ４７８各々の底縁部は、篏合されたときにスタック可能端タブ４７８およびスタック可能係合タブ４４８を入れ子にするために、スタック可能なフィン４４０のスタック可能係合タブ４４８のの各々の頂縁部と形状において対応する。
【００２７】
図１８は、フィン配列４３８の組立図である。フィン配列４３８は、複数のスタック可能なフィン４４０および端部フィン４７０を含む。複数のスタック可能なフィン４４０は、スタックされ図１５〜１６において上述されたように機能する。上述したように、端部フィン４７０は、壁４７６と、頂端部および底部端タブ４７２（４７２ａおよび４７２ｂ）と、頂部および底部中央タブ４７４（たとえば、４７４ａおよび４７４ｂ）と、頂部および底部スタック可能端タブ４７８（たとえば、４７８ａおよび４７８ｂ）とを含む。折り曲げ可能なフィンガ４５４ａおよび４５８ａは、曲げられた向きにおいて端部フィン４７０をフィン配列４３８へと固定し、これにより、複数のスタック可能なフィン４４０の動きを防ぐ。スタック可能端タブ４７８の頂縁部は、一度組み立てられると第１のスタック可能なフィン４４０の折り曲げ可能なフィンガ４５４および４５８の頂縁部と同じ高さにあり、係合され、固定される。
【００２８】
壁４７６に接続する頂部スタック可能端タブ４７８の縁部は、本体４５０ａ（図示せず）と、第１のアーム４５２ａと、頂部スタック可能係合タブ４４８ａの第２のアーム４５６ａ（図示せず）とによって形成される領域に入れ子にされる。
【００２９】
端部フィン４７０が第１のスタック可能なフィン４４０上にスタックされるとき、第１のスタック可能なフィン４４０の折り曲げ可能なフィンガ４５４および４５８は、全て平面の方向にある。一度スタックされると、第１のスタック可能なフィン４４０の折り曲げ可能なフィンガ４５４および４５８は、端部フィン４７０のスタック可能端タブ４７８を係合するために曲げられ、これにより、端部フィン４７０の動きを防ぐ。折り曲げ可能なフィンガ４５４および４５８が曲げられる角度は、変化されることができる。
【００３０】
フィン配列４３８は、配列４３８が形成されるように、フィン基部によってフィン上のシールドの上面４２０に取り付けられることができ、または、配列４３８が形成されることができ、そして取り付けられる。取り付けは、はんだ付け、または、他の既知のまたは開発された取り付け方法によって行うことができる。
【００３１】
このように詳細に開示を説明したが、それは、上述の説明がその精神または特許請求の範囲を限定するものではないことを理解すべきである。本明細書に記載される本開示の実施形態は、単なる例示であり、当業者は、本開示の精神および特許請求の範囲から逸脱することなく、任意の変形および修正を行うことができることが理解されるであろう。上述のものを含む全てのそのような変形および修正は、本開示の範囲内に含まれることが意図される。
【図１】
2019506755.tif 000002
【図２】
2019506755.tif 000003
【図３】
2019506755.tif 000004
【図４】
2019506755.tif 000005
【図５】
2019506755.tif 000006
【図６】
2019506755.tif 000007
【図７】
2019506755.tif 000008
【図８】
2019506755.tif 000009
【図９】
2019506755.tif 000010
【図１０】
2019506755.tif 000011
【図１１】
2019506755.tif 000012
【図１２】
2019506755.tif 000013
【図１３】
2019506755.tif 000014
【図１４】
2019506755.tif 000015
【図１５】
2019506755.tif 000016
【図１６】
2019506755.tif 000017
【図１７】
2019506755.tif 000018
【図１８】
2019506755.tif 000019
【国際調査報告】
2019506755.tif 000020
2019506755.tif 000021